【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
ＷＥＢサービス順次処理記述文書に記述された、順次実行される複数の処理を実行するための情報の解析と、それぞれの処理がインタラクティブに実行するインタラクティブ処理であるかの解析と、を行い、解析結果の情報を出力するＷＥＢサービス順次処理記述文書解析手段と、
前記ＷＥＢサービス順次処理記述文書に関連するＷＥＢサービス用インターフェース記述文書の解析を行い、解析結果の情報を出力するＷＥＢサービス用インターフェース記述文書解析手段と、
前記ＷＥＢサービス順次処理記述文書解析手段によって出力された解析結果の情報に基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行手段と、
前記順次処理実行手段が次に実行する処理がインタラクティブ処理である場合、前記ＷＥＢサービス用インターフェース記述文書解析手段によって出力された解析結果の情報に基づいて、インタラクティブ処理のための操作画面を生成する操作画面生成手段と、
を有し、
前記順次処理実行手段は、前記操作画面生成手段によって生成された操作画面によるインタラクティブ処理の結果に基づいて次の処理を行う情報処理装置。
【請求項２】
インタラクティブ実行箇所外部定義文書に定義されたインタラクティブに実行するインタラクティブ処理の定義の解析を行い、解析結果の情報を出力するインタラクティブ処理解析手段と、
ＷＥＢサービス順次処理記述文書に記述された順次実行される複数の処理を実行するための情報の解析を行い、解析結果の情報を出力するＷＥＢサービス順次処理記述文書解析手段と、
前記ＷＥＢサービス順次処理記述文書に関連するＷＥＢサービス用インターフェース記述文書の解析を行い、解析結果の情報を出力するＷＥＢサービス用インターフェース記述文書解析手段と、
前記インタラクティブ処理解析手段によって出力された解析結果の情報と、前記ＷＥＢサービス用インターフェース記述文書解析手段によって出力された解析結果の情報とに基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行手段と、
前記順次処理実行手段が次に実行する処理がインタラクティブ処理である場合、前記ＷＥＢサービス用インターフェース記述文書解析手段によって出力された解析結果の情報に基づいて、インタラクティブ処理のための操作画面を生成する操作画面生成手段と、
を有し、
前記順次処理実行手段は、前記操作画面生成手段によって生成された操作画面によるインタラクティブ処理の結果に基づいて次の処理を行う情報処理装置。
【請求項３】
情報処理装置が実行する情報処理方法であって、
ＷＥＢサービス順次処理記述文書に記述された、順次実行される複数の処理を実行するための情報の解析と、それぞれの処理がインタラクティブに実行するインタラクティブ処理であるかの解析と、を行い、解析結果の情報を出力するＷＥＢサービス順次処理記述文書解析ステップと、
前記ＷＥＢサービス順次処理記述文書に関連するＷＥＢサービス用インターフェース記述文書の解析を行い、解析結果の情報を出力するＷＥＢサービス用インターフェース記述文書解析ステップと、
前記ＷＥＢサービス順次処理記述文書解析ステップによって出力された解析結果の情報に基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行ステップと、
次に実行する処理がインタラクティブ処理である場合、前記ＷＥＢサービス用インターフェース記述文書解析ステップによって出力された解析結果の情報に基づいて、インタラクティブ処理のための操作画面を生成する操作画面生成ステップと、
を含み、
前記順次処理実行ステップでは、前記操作画面生成ステップによって生成された操作画面によるインタラクティブ処理の結果に基づいて次の処理を行う情報処理方法。
【請求項４】
情報処理装置が実行する情報処理方法であって、
インタラクティブ実行箇所外部定義文書に定義されたインタラクティブに実行するインタラクティブ処理の定義解析を行い、解析結果の情報を出力するインタラクティブ処理解析ステップと、
ＷＥＢサービス順次処理記述文書に記述された順次実行される複数の処理を実行するための情報の解析を行い、解析結果の情報を出力するＷＥＢサービス順次処理記述文書解析ステップと、
前記ＷＥＢサービス順次処理記述文書に関連するＷＥＢサービス用インターフェース記述文書の解析を行い、解析結果の情報を出力するＷＥＢサービス用インターフェース記述文書解析ステップと、
前記インタラクティブ処理解析ステップによって出力された解析結果の情報と、前記ＷＥＢサービス用インターフェース記述文書解析ステップによって出力された解析結果の情報とに基づいて、前記ＷＥＢサービス順次処理記述文書に記述された複数の処理を順次実行すると共に、次に実行する処理がインタラクティブ実行である場合、処理を中断し、インタラクティブ処理の結果を待つ順次処理実行ステップと、
次に実行する処理がインタラクティブ処理である場合、前記ＷＥＢサービス用インターフェース記述文書解析ステップによって出力された解析結果の情報に基づいて、インタラクティブ処理のための操作画面を生成する操作画面生成ステップと、
を含み、
前記順次処理実行ステップでは、前記操作画面生成ステップによって生成された操作画面によるインタラクティブ処理の結果に基づいて次の処理を行う情報処理方法。
【請求項５】
コンピュータを、
ＷＥＢサービス順次処理記述文書に記述された、順次実行される複数の処理を実行するための情報の解析と、それぞれの処理がインタラクティブに実行するインタラクティブ処理であるかの解析と、を行い、解析結果の情報を出力するＷＥＢサービス順次処理記述文書解析手段と、
前記ＷＥＢサービス順次処理記述文書に関連するＷＥＢサービス用インターフェース記述文書の解析を行い、解析結果の情報を出力するＷＥＢサービス用インターフェース記述文書解析手段と、
前記ＷＥＢサービス順次処理記述文書解析手段によって出力された解析結果の情報に基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行手段と、
前記順次処理実行手段が次に実行する処理がインタラクティブ処理である場合、前記ＷＥＢサービス用インターフェース記述文書解析手段によって出力された解析結果の情報に基づいて、インタラクティブ処理のための操作画面を生成する操作画面生成手段と、
として機能させ、
前記順次処理実行手段は、前記操作画面生成手段によって生成された操作画面によるインタラクティブ処理の結果に基づいて次の処理を行うプログラム。
【請求項６】
コンピュータを、
インタラクティブ実行箇所外部定義文書に定義されたインタラクティブに実行するインタラクティブ処理の定義の解析を行い、解析結果の情報を出力するインタラクティブ処理解析手段と、
ＷＥＢサービス順次処理記述文書に記述された順次実行される複数の処理を実行するための情報の解析を行い、解析結果の情報を出力するＷＥＢサービス順次処理記述文書解析手段と、
前記ＷＥＢサービス順次処理記述文書に関連するＷＥＢサービス用インターフェース記述文書の解析を行い、解析結果の情報を出力するＷＥＢサービス用インターフェース記述文書解析手段と、
前記インタラクティブ処理解析手段によって出力された解析結果の情報と、前記ＷＥＢサービス用インターフェース記述文書解析手段によって出力された解析結果の情報とに基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行手段と、
前記順次処理実行手段が次に実行する処理がインタラクティブ処理である場合、前記ＷＥＢサービス用インターフェース記述文書解析手段によって出力された解析結果の情報に基づいて、インタラクティブ処理のための操作画面を生成する操作画面生成手段と、
して機能させ、
前記順次処理実行手段は、前記操作画面生成手段によって生成された操作画面によるインタラクティブ処理の結果に基づいて次の処理を行うプログラム。
【手続補正２】
【補正対象書類名】明細書
【補正対象項目名】０００６
【補正方法】変更
【補正の内容】
【０００６】
そこで、本発明の情報処理装置は、ＷＥＢサービス順次処理記述文書に記述された、順次実行される複数の処理を実行するための情報の解析と、それぞれの処理がインタラクティブに実行するインタラクティブ処理であるかの解析と、を行い、解析結果の情報を出力するＷＥＢサービス順次処理記述文書解析手段と、前記ＷＥＢサービス順次処理記述文書に関連するＷＥＢサービス用インターフェース記述文書の解析を行い、解析結果の情報を出力するＷＥＢサービス用インターフェース記述文書解析手段と、前記ＷＥＢサービス順次処理記述文書解析手段によって出力された解析結果の情報に基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行手段と、前記順次処理実行手段が次に実行する処理がインタラクティブ処理である場合、前記ＷＥＢサービス用インターフェース記述文書解析手段によって出力された解析結果の情報に基づいて、インタラクティブ処理のための操作画面を生成する操作画面生成手段と、を有し、前記順次処理実行手段は、前記操作画面生成手段によって生成された操作画面によるインタラクティブ処理の結果に基づいて次の処理を行う。
【手続補正３】
【補正対象書類名】明細書
【補正対象項目名】０００７
【補正方法】変更
【補正の内容】
【０００７】
また、本発明の情報処理装置は、インタラクティブ実行箇所外部定義文書に定義されたインタラクティブに実行するインタラクティブ処理の定義の解析を行い、解析結果の情報を出力するインタラクティブ処理解析手段と、ＷＥＢサービス順次処理記述文書に記述された順次実行される複数の処理を実行するための情報の解析を行い、解析結果の情報を出力するＷＥＢサービス順次処理記述文書解析手段と、前記ＷＥＢサービス順次処理記述文書に関連するＷＥＢサービス用インターフェース記述文書の解析を行い、解析結果の情報を出力するＷＥＢサービス用インターフェース記述文書解析手段と、前記インタラクティブ処理解析手段によって出力された解析結果の情報と、前記ＷＥＢサービス用インターフェース記述文書解析手段によって出力された解析結果の情報とに基づいて、前記ＷＥＢサービス順次処理記述文書に記述された複数の処理を順次実行すると共に、次に実行する処理がインタラクティブ処理である場合、処理を中断し、インタラクティブ処理の結果を待つ順次処理実行手段と、前記順次処理実行手段が次に実行する処理がインタラクティブ処理である場合、前記ＷＥＢサービス用インターフェース記述文書解析手段によって出力された解析結果の情報に基づいて、インタラクティブ処理のための操作画面を生成する操作画面生成手段と、を有し、前記順次処理実行手段は、前記操作画面生成手段によって生成された操作画面によるインタラクティブ処理の結果に基づいて次の処理を行う。